(57)【要約】      （修正有）【課題】雨天候日の屋外自動販売機への商品投入や故障修理の際に人、商品、自動販売機部品等が濡れずに作業ができる。また、あらゆる機種の自動販売機に対応でき、ロック固定が容易で、強風雨日も作業が容易にでき、自動販売機への取付け取外しも容易な自動販売機作業の雨水濡れ防止装置を提供する。【解決手段】自動販売機の自動販売機ドアー９を開き、自動販売機本体６のドアーラッチ上７とドアーラッチ中８に固定するコノ字型ロッカー上５とコノ字型ロッカー下と傘受３を２４０度円回転させる為のスリーブ上、スリーブ下及び回転シャフトとで構成している。【選択図】図１
2008287685.tif 000002
【特許請求の範囲】
【請求項１】
自動販売機の自動販売機ドアー９を開き、自動販売機本体のドアーラッチ上７とドアーラッチ中８に固定するコノ字型ロッカー上５とコノ字型ロッカー下５ｂと傘受３を２４０度角回転させる為のスリーブ上１ａ、スリーブ下１ｂ及び回転シャフト１とで構成されていることを特徴とする自動販売機作業の雨水濡れ防止装置。
【請求項２】
請求項１の自動販売機作業の雨水濡れ防止装置において、スリーブ上１ａに取付けたコノ字型ロッカー上５をドアーラッチ上７の凹部の切込みに上部より合わせ押込みセットできる。ドアーラッチ中８とドアーラッチ上７の間隔は自動販売機の種類により異なる為、あらゆる間隔のドアーラッチ中８の凹部の切込みに上部より合わせ押込みセット出来る様に、コノ字型ロッカー下５ｂは上下の動きが自由な機構をもったことを特徴とする自動販売機作業の雨水濡れ防止装置。
【請求項３】
請求項１の自動販売機作業の雨水濡れ防止装置において、ドアーラッチ上７、ドアーラッチ中８にセットされたコノ字型ロッカー上５、コノ字型ロッカー下５ｂの外れ防止の為ねじ込み式コノ字型ロッカーストッパー機構を備えたことを特徴とする自動販売機作業の雨水濡れ防止装置。
【請求項４】
請求項１の自動販売機作業の雨水濡れ防止装置において、自動販売機本体のドアーラッチ上７、ドアーラッチ中８に固定されたスリーブ上１ａ、スリーブ下１ｄの内部で２４０度回転し、傘の杖を固定する傘受３の位置を２４０度の範囲内が自由に変更可能な機構をもったことを特徴とする自動販売機作業の雨水濡れ防止装置。
【請求項５】
請求項４において傘受３が２４０度の範囲内が自由に位置変更可能な機構だが、強風等の自然現象時あるいは任意の位置に固定したい場合回転シャフト１を強制的に止めるねじ込み式の回転シャフトストッパー１ｆ機構をもったことを特徴とする自動販売機作業の雨水濡れ防止装置。
【請求項６】
請求項１の自動販売機作業の雨水濡れ防止装置において、傘受３に開いた傘の杖を差込セットしたものが強風で飛ばされるのを防止するねじ込み式の傘ストッパー３ａ機構をもったことを特徴とする自動販売機作業の雨水濡れ防止装置。
【発明の詳細な説明】
【技術分野】
【０００１】  この発明は、屋外に設置された自動販売機に対し（商品詰め、故障修理、清掃）等の作業を雨天や炎天下で実施する場合、雨濡れや日射病を防止出来る装置に関する。
【背景技術】
【０００２】  屋外設置自動販売機の雨天、炎天下時はレインコート着用か、開いた自動販売機ドアー９と自動販売機本体６の隙間上部に開いた傘４を渡した不安定な方法しかなく、風の強い雨の日には使用出来ず雨に濡れての作業を行なっている状況である。当発明に該当するものはなかった。
【発明の開示】
【発明が解決しようとする課題】
【０００３】  しかしながら、以上の技術によれば、屋外設置自動販売機の雨天、炎天下での商品詰めや故障修理時、直射日光にさらされたり、雨に濡れて作業を行なっていた。そこで、この発明は、作業者の身体の雨濡れ保護及び製品濡れ防止や作業性の効率向上が改善できることを提供することを課題とする。
【課題を解決するための手段】
【０００４】  以上の課題を解決するために、第一発明は、自動販売機へ簡単に傘が取付けられ、直射日光を遮ると同時に、作業者や製品、自動販売機部品の雨濡れが防止できることを特徴とする自動販売機作業の雨水濡れ防止装置である。また、第二発明は、強風時には、傘飛び防止のロックが３ヶ所簡単にできることを特徴とする自動販売機作業の雨水濡れ防止装置である。また、第三発明は、自動販売機の商品投入や故障修理の際、必要場所に合わせて傘の位置を自由に回転させ固定できることを特徴とする自動販売機作業の雨水濡れ防止装置である。
【発明の効果】
【０００５】  屋外設置自動販売機への商品詰めは３０分から６０分の時間を要します。また自動販売機の故障時の修理も平均２５分程度時間を要します。雨天の日は雨カッパを着用して作業を行なっているが商品や機械内部部品は濡れてしまい困っている。また傘を開いた状態で自動販売機の開いた自動販売機ドアー９と自動販売機本体６の上部に引掛け状態で作業を行なうが、風の強い日は傘が吹飛ばされてしまい危険である。自動販売機作業の雨水濡れ防止装置は直径１８００ｍｍの傘を固定セットできる為、人、商品、自動販売機部品が濡れずに済み、雨天日作業が容易になった。
【発明を実施するための最良の形態】
【０００６】  この発明の一実施形態を、図１、図２、図３、図４に示す。自動販売機本体のドアーラッチ上７、ドアーラッチ中８を利用し簡単にコノ字型ロッカー上５が固定出来る為に、ドアーラッチ上７、ドアーラッチ中８が凹状の４ｍｍ厚の一枚板であるのを利用し、コノ字型ロッカー上５、コノ字型ロッカー下５ｂを長方形の袋状にし先端壁の中間より下を切取り、ドアーラッチ上７の上部より落し込むだけで固定出来る。コノ字型ロッカー下５ｂは回転シャフト１を包み込んだスリーブ下１ｄに接続し回転シャフト１を自由に上下できドアーラッチ中８の上部に移動し落し込むだけで固定出来る。【０００７】  そして、図５、図６は、［００１９］の接続拡大図【０００８】  ドアーラッチ上７、ドアーラッチ中８に落し込み固定したコノ字型ロッカー上５、コノ字型ロッカー下５ｂが簡単に抜けるのを防止する為コノ字型ロッカーストッパー１ｂを設け、ねじ込むのに力が入れ易いネジ先端に取付けた大型リングをねじ込む事でコノ字型ロッカー上５がドアーラッチ上７に食い込みロック出来る構造にする。【０００９】  筒状の傘受３は、開いた傘の杖を落し込むだけでセットできる構造にした。無風時は問題ないが強風時を想定し傘４が風に飛ばされるのを防止する為ねじ込むのに力が入れ易いネジ先端に取付けた大型リングをねじ込む事で傘４の杖に食い込みロック出来る構造にする。当傘受３の底は杖を支える様に底を付けた構造にする。【００１０】  ねじ込むのに力が入れ易いネジ先端に取付けた大型リングをねじ込む事でロック出来る構造のもう一つの方法としては、２４０度円形範囲を自由に位置移動可能な構造の傘受３と連動した回転シャフト１が内部通過しているスリーブ上１ａに取付けたねじ込むのに力が入れ易いネジ先端に取付けた大型リングをねじ込む事で、任意の位置で回転シャフト１に食い込みロック出来る構造にする。【００１１】  回転シャフト１がスリーブ上１ａ又スリーブ下１ｄから滑り落ちるのを阻止する為にスリーブストッパー上１ｃ、スリーブストッパー中１ｄ、スリーブストッパー下１ｅを取付ける。【００１２】  回転シャフト１はスリーブ上１ａとスリーブ下１ｄ内部に取付ける。スリーブ上１ａとスリーブ下１ｄの内径は回転シャフト１の外径より若干大きな穴径にし、スリーブ上１ａとスリーブ下１ｄに取付けた回転シャフト１が自由に回転又スライドできるように設定する。【００１３】「実施形態の効果」
この実施形態によれば、屋外設置自動販売機の雨天、炎天下での商品詰めや故障修理に対して自動販売機に直径１８００ｍｍの傘を固定セットする事により、人、商品、自動販売機部品が濡れない事と、雨天時も安全な作業が出来る。【００１４】  この実施形態によれば、自動販売機本体６にコノ字型ロッカーストッパー５ａ、回転シャフトストッパー１ｆ、傘ストッパー３ａの３ヶ所で手動ロックできるので強風の際も自動販売機作業の雨水濡れ防止装置本体図２や傘４が吹飛ばされる事なく安定した作業が出来る。【００１５】  この実施形態によれば、回転シャフトストッパー１ｆが２４０度円形回転でき任意の位置で固定できるので自動販売機ドアー９内部、自動販売機本体６の左右、上下位置の広範囲の作業が容易になる。【００１６】  この実施形態によれば、装置主要部分を丸パイプ仕様とし、材質をＳＵＳ３０４にした事で自動販売機作業の雨水濡れ防止装置の強度が上がり、軽量化の為取付が容易になる。
【他の実施形態】
【００１７】  図１の実施形態では、傘受３の直径は１８００ｍｍの重量５ｋｇであったが、他の実施形態では、直径２４００ｍｍで重量１５ｋｇのものでも良い。
【図面の簡単な説明】
【００１８】
【図１】本発明装置を自動販売機へ装着させた状態の斜視図
【図２】本発明装置の名称を記載した斜視図
【図３】本発明装置を自動販売機へ装着寸前の状態の斜視図
【図４】本発明装置を自動販売機へ装着させた３図連動の斜視図
【図５】本発明装置の５コノ字ロッカー上が自動販売機７ドアーラッチ結合斜視図
【図６】本発明装置の５コノ字ロッカー下が自動販売機７ドアーラッチ結合斜視図
【図７】本発明装置の回転シャフトとスリーブ、傘受、ストッパーの透し斜視図
【符号の説明】
【００１９】    １        傘受部分を左右１８０度回転させるシャフト
１ａ      回転シャフト１を内部で回転させる上部のスリーブ
１ｂ      スリーブ上１ａが回転シャフトへの落込みを防ぐストッパー
１ｃ      回転シャフトがスリーブ上１ａへの落込みを防ぐストッパー
１ｄ      回転シャフトを内部で回転させ又自由に上下出来る下部のスリーブ
１ｅ      スリーブ下が回転シャフトから脱落するのを防ぐストッパー
１ｆ      回転シャフトの回転を強制的に止めるネジ式ストッパー
２        傘受と回転シャフトを連結する上部シャフト
２ａ      傘受と回転シャフトを連結する下部シャフト
３        傘の杖を内部に包み込み支える筒状傘受け
３ａ      傘受内部の傘の杖が抜けない様に強制的に止めるネジ式ストッパー
４        傘
５        自動販売機作業の雨水濡れ防止装置を自動販売機本体のドアーラッチを包み込んだ形で固定する上部金具
５ａ      自動販売機に固定した当装置が本体ドアーラッチに強制固定するネジ式ストッパー
５ｂ      自動販売機作業の雨水濡れ防止装置を自動販売機本体のドアーラッチを包み込んだ形で固定する下部金具
６        自動販売機本体
７        自動販売機本体にトビラを閉め施錠する場合のドアースライドと連結する上部受け側のラッチ
８        自動販売機本体にトビラを閉め施錠する場合のドアースライドと連結する中部受け側のラッチ
９        自動販売機のトビラ
【図１】
2008287685.tif 000003
【図２】
2008287685.tif 000004
【図３】
2008287685.tif 000005
【図４】
2008287685.tif 000006
【図５】
2008287685.tif 000007
【図６】
2008287685.tif 000008
【図７】
2008287685.tif 000009